(57)【要約】【課題】  省スペースで、光むらや影を生じることなく、かつ省電力のエレベータ天井照明装置を提供する。【解決手段】  エレベータのかご室２０１の天井板２０２にはランプホルダー４が取り付けられ、光源６を天井板２０２の下方に離間させた状態で保持している。光源６の下方には、光源６の光を透過させる照明板３が照明ケース２に略水平に取り付けられている。天井板２０２と光源６の間において、光源６の光を照明板３の全面に向けて略均一に照射する反射部材７が、天井板２０２から離間すると共に光源６に近接するように配置されている。【選択図】      図１
2007084220.tif 000002
【特許請求の範囲】
【請求項１】
エレベータのかご室の天井に取り付けられ、光源を前記天井の下方に離間させた状態で保持するランプホルダーと、前記光源の下方に略水平に配置され、前記光源の光を透過させる照明板と、前記天井と前記光源の間において前記天井から離間すると共に前記光源に近接するように配置され、前記光源の光を前記照明板の全面に向けて略均一に照射する反射部材と、を備えたことを特徴とするエレベータ天井照明装置。
【請求項２】
前記ランプホルダーが前記反射部材を保持する反射部材保持部を有することを特徴とする請求項１記載のエレベータ天井照明装置。
【請求項３】
前記天井と前記反射部材との間に介在してこれらの間の距離を一定に保つ空間保持部を備えたことを特徴とする請求項１記載のエレベータ天井照明装置。
【請求項４】
前記空間保持部が前記ランプホルダーに形成されたことを特徴とする請求項３記載のエレベータ天井照明装置。
【請求項５】
エレベータのかご室の天井に取り付けられ、光源を前記天井の下方に離間させた状態で保持するランプホルダーと、前記光源の下方に略水平に配置され、前記光源の光を透過させる照明板と、前記天井と前記光源の間において前記天井及び前記光源に近接するように配置され、前記光源の光を前記照明板の全面に向けて略均一に照射する反射部材と、を備えたことを特徴とするエレベータ天井照明装置。
【発明の詳細な説明】
【技術分野】
【０００１】
本発明はエレベータ天井照明装置に関する。
【背景技術】
【０００２】
図１５は従来のエレベータ天井照明装置を備えたかご室の縦断面図、図１６は図１５の要部拡大断面図、図１７は図１６のエレベータ天井照明装置の分解斜視図である。
【０００３】
図１５に示すように、このエレベータ天井照明装置１０１は、エレベータのかご室２０１の天井板２０２に取り付けられた照明ケース１０２を備えている。この照明ケース１０２は下面が開口しており、この開口を覆うように光透過性材料から成る照明板１０３が略水平に取り付けられている。
【０００４】
図１６及び図１７に示すように、天井板２０２には複数個のランプホルダー１０４がネジ１０５にて固定されている。このランプホルダー１０４は、環状の光源１０６を天井板２０２の下方に離間させた状態で保持するランプ保持部１０４ａを有している。
【０００５】
１０７は反射部材で、ランプホルダー１０４と共にネジ１０５で天井板２０２に接するように固定されている。この反射部材１０７は接着剤で天井板２０２に固定されることもある。また、反射部材１０７の代わりに、天井板２０２に反射加工を施して、天井板２０１が反射部材を兼ねるようにする場合もある。
【０００６】
反射部材１０７を光源１０６と天井板２０２の間に設置することで、光源１０６の光を照明板１０３の全面に向けて略均一に照射して光むらを低減し、意匠的に優れた照明装置を実現していた。
【発明の開示】
【発明が解決しようとする課題】
【０００７】
近年、エレベータは機械室無しのタイプが主流になりつつあり、かご室が上下に移動する昇降路内には、かご室の上方に、巻上機やシーブ等の機器を機械室有りのエレベータよりも多く配置しなければならない。
【０００８】
建物の制約上、昇降路全高を高くすることはできないので、かご室２０１の全高Ｈ１（図１５参照）を低くする必要がある。ところが、床から照明板１０３までの高さＨ２を低くすると、かご室２０１に乗ったときに圧迫感を感じ、乗り心地が優れないという問題が有る。
【０００９】
このような事情により、エレベータ天井照明装置１０１の高さＨ３低くする必要が有る。この高さＨ３を十分確保できれば、上記のような反射部材１０７の設置方法でも意匠的に優れた照明装置を実現することが出来るが、高さＨ３を低くすると、光源１０６と照明板１０３の間の距離が小さくなるため、照明板１０３に光源１０６の形がはっきりと写ってしまう。特に、光源１０６と光源１０６の間に影が顕著に出てしまい、意匠的に優れたものとすることが出来ない。
【００１０】
光源１０６の数を増やして光源１０６間の間隔を狭くしたり、光源１０６の電圧を大きくして光源１０６から発する光束の数を多くすると、影は目立たなくなるが、消費電力が大きくなるので望ましくない。
【００１１】
本発明は上記事情に鑑みてなされたものであり、その目的は、省スペースで、光むらや影を生じることなく、かつ省電力のエレベータ天井照明装置を提供することにある。
【課題を解決するための手段】
【００１２】
上記目的を達成するために、本発明に係る第１のエレベータ天井照明装置は、
エレベータのかご室の天井に取り付けられ、光源を天井の下方に離間させた状態で保持するランプホルダーと、光源の下方に略水平に配置され、光源の光を透過させる照明板と、天井と光源の間において天井から離間すると共に光源に近接するように配置され、光源の光を照明板の全面に向けて略均一に照射する反射部材と、を備えたことを特徴としている。
【００１３】
また、本発明に係る第２のエレベータ天井照明装置は、
エレベータのかご室の天井に取り付けられ、光源を天井の下方に離間させた状態で保持するランプホルダーと、光源の下方に略水平に配置され、光源の光を透過させる照明板と、天井と光源の間において天井及び光源に近接するように配置され、光源の光を照明板の全面に向けて略均一に照射する反射部材と、を備えたことを特徴としている。
【発明の効果】
【００１４】
本発明のエレベータ天井照明装置は、反射部材を光源に近接するように配置することで、高さを低くすることができるため、省スペース化を図ることができる。また、光源の光の反射効率が良くなるため、隣接する光源間の影や光むらが無くなると共に、光源の電圧を大きくする必要が無いため、省電力を図ることができる。
【発明を実施するための最良の形態】
【００１５】
以下、本発明の一実施形態を図面に基づいて説明する。図１は本発明の第１の実施形態であるエレベータ天井照明装置を備えたかご室の縦断面図、図２は図１の要部拡大断面図、図３は図１のエレベータ天井照明装置の分解斜視図である。
【００１６】
図１に示すように、このエレベータ天井照明装置１は、エレベータのかご室２０１の天井板２０２に取り付けられた照明ケース２を備えている。この照明ケース２は下面が開口しており、この開口を覆うように光透過性材料から成る照明板３が略水平に取り付けられている。
【００１７】
図２及び図３に示すように、天井板２０２には複数個のランプホルダー４がネジ５で固定されている。このランプホルダー４は、環状の光源６を天井板２０２の下方に離間させた状態で保持するＣ字形のランプ保持部４ａを有している。
【００１８】
７は反射部材で、光源６の上部に接するように載置されている。すなわち、反射部材７には、ランプホルダー４の上部を通すための一対の貫通孔７ａと、ネジ５を回すドライバーを通すための一対の貫通孔７ｂとが設けられており、貫通孔７ａからランプホルダー４の上部を上方に突出させた状態で貫通孔７ｂにドライバーを通してネジ５でランプホルダー４を天井板２０２に締結固定する。
【００１９】
反射部材７を光源６と天井板２０２の間に設置することで、光源６の光を照明板３の全面に向けて略均一に照射して光むらを低減し、意匠的に優れた照明装置を実現している。
【００２０】
そして、反射部材７が光源６に近接するように配置されていることで、反射部材７が光源６から離して配置されたときと比べて反射効率が良く、見掛け上、光源６の光束が増加したように見えるため、隣接する光源６間の影が目立たなくなると共に、光源６の電圧を大きくする必要が無いため、省電力を図ることができる。
【００２１】
また、反射部材７を光源６に近接するように配置することで、照明装置の高さが低くなり、省スペースを図ることができる。
【００２２】
また、光源６が天井板２０２から離れて配置されているため、点検時に保守員が天井上面に乗って天井板２０２が撓んだ場合でも、光源６に及ぶ影響が小さく、光源６が破損する危険性が少ない。
【００２３】
さらに、本実施形態では、反射部材７を位置決めするための別部品が不要であるため、部品点数を少なくすることができるという利点が有る。
【００２４】
次に、本発明の第２の実施形態について説明する。図４は本発明の第２の実施形態であるエレベータ天井照明装置の要部拡大断面図、図５は図４のエレベータ天井照明装置の分解斜視図である。なお、以下の各実施形態において、それ以前に説明した実施形態と同一の部分には同一の符号を使用しており、重複する説明は省略してある。
【００２５】
本実施形態では、反射部材７が着脱自在に係合するΩ型の反射部材保持部４ｂがランプ保持部４ａの近傍に設けられており、これによって反射部材７を光源６に近接した位置において天井板２０２から離した状態で保持固定するようにしている。
【００２６】
このようにすると、第１の実施形態と同様の効果が得られるだけでなく、反射部材７を固定するための別部材が不要となるため、部品点数を少なくすることができる。
【００２７】
また、第１の実施形態のように反射部材７を重力によって光源６上に配置する場合と比べて、反射部材７が衝撃等によって浮き上がることがないため、反射部材７をより確実に光源６に近接して配置することができる。
【００２８】
図６は第２の実施形態の変形例の要部拡大断面図である。
【００２９】
本実施形態では、反射部材７が光源６から僅かに上方に離して配置されるように反射部材持部４ｂが形成されている。この場合、光源６の発熱よる反射部材７への影響を小さくすることができる。
【００３０】
次に、本発明の第３の実施形態について説明する。図７は本発明の第３の実施形態であるエレベータ天井照明装置の要部拡大断面図、図８は図７のエレベータ天井照明装置の分解斜視図である。
【００３１】
本実施形態では、ランプホルダー４がＬ字形の空間保持部４ｃを有している。この空間保持部４ｃは、反射部材７と天井板２０２との間に介在してこれらの間の距離を一定に保つためのものである。
【００３２】
このようにすると、第１の実施形態と同様の効果が得られるだけでなく、第１の実施形態のように反射部材７を重力によって光源６上に配置する場合と比べて、反射部材７が衝撃等によって浮き上がることがないため、反射部材７をより確実に光源６に近接して配置することができる。
【００３３】
図９は第３の実施形態の変形例の要部拡大断面図、図１０は図９のエレベータ天井照明装置の分解斜視図である。
【００３４】
本実施形態では、ランプホルダー４が一対のランプ保持部４ａを有しており、それらの間にＵの字形の空間保持部４ｃが設けられている。反射部材７はネジ５で空間保持部４ｃに固定され、これによって天井板２０２との間に一定の距離が保たれるようになっている。
【００３５】
次に、本発明の第４の実施形態について説明する。図１１は第４の実施形態の変形例の要部拡大断面図、図１２は図１１のエレベータ天井照明装置の分解斜視図である。
【００３６】
本実施形態では、ランプホルダー４とは別体の円筒状の空間保持部８を使用し、この空間持部８をネジ５で反射部材７と共に天井板２０２に固定している。本実施形態でも、第３の実施形態と同様の効果を得ることができる。
【００３７】
また、本実施形態では、空間保持部８を高さの異なるものと交換することで、反射部材７を光源６から僅かに上方に離れた位置に配置することもでき、その場合、光源６の熱による反射部材８への影響を低減することができる。
【００３８】
次に、本発明の第５の実施形態について説明する。図１３は第５の実施形態の要部拡大断面図、図１４は図１３のエレベータ天井照明装置の分解斜視図である。
【００３９】
本実施形態では、反射部材７がランプホルダー４と共にネジ５で天井板２０２に固定され、天井板２０２と光源６の間において反射部材７が天井板２０２及び光源６に接した状態となっている。
【００４０】
このように光源６と反射部材７が接していることで、第１の実施形態と同様に、光むらや影を生じることなく、かつ省スペースや省電力を図ることができる。
【００４１】
なお、ランプホルダー４を弾性材料で形成すると、点検時に保守員が天井上面に乗って天井板２０２が撓んだ場合でも、光源６に及ぶ影響が小さく、光源６が破損する危険性が少なくなる。
【００４２】
以上、具体例を挙げて本発明の一実施形態について説明したが、本発明は上記実施形態に限定されるものではなく、本発明の要旨を逸脱しない範囲で上記実施形態に種々の改変を施すことができる。
【図面の簡単な説明】
【００４３】
【図１】本発明の第１の実施形態であるエレベータ天井照明装置を備えたかご室の縦断面図。
【図２】図１の要部拡大断面図。
【図３】図１のエレベータ天井照明装置の分解斜視図。
【図４】本発明の第２の実施形態であるエレベータ天井照明装置の要部拡大断面図。
【図５】図４のエレベータ天井照明装置の分解斜視図。
【図６】第２の実施形態の変形例の要部拡大断面図。
【図７】本発明の第３の実施形態であるエレベータ天井照明装置の要部拡大断面図。
【図８】図７のエレベータ天井照明装置の分解斜視図。
【図９】第３の実施形態の変形例の要部拡大断面図。
【図１０】図９のエレベータ天井照明装置の分解斜視図。
【図１１】第４の実施形態の変形例の要部拡大断面図。
【図１２】図１１のエレベータ天井照明装置の分解斜視図。
【図１３】第５の実施形態の要部拡大断面図。
【図１４】図１３のエレベータ天井照明装置の分解斜視図。
【図１５】従来のエレベータ天井照明装置を備えたかご室の縦断面図。
【図１６】図１５の要部拡大断面図。
【図１７】図１６のエレベータ天井照明装置の分解斜視図。
【符号の説明】
【００４４】
１    エレベータ天井照明装置
３    照明板
４    ランプホルダー
４ｂ  反射部材持部
４ｃ  空間持部
６    光源
７    反射部材
８    空間持部
２０１    かご室
２０２    天井板
【図１】
2007084220.tif 000003
【図２】
2007084220.tif 000004
【図３】
2007084220.tif 000005
【図４】
2007084220.tif 000006
【図５】
2007084220.tif 000007
【図６】
2007084220.tif 000008
【図７】
2007084220.tif 000009
【図８】
2007084220.tif 000010
【図９】
2007084220.tif 000011
【図１０】
2007084220.tif 000012
【図１１】
2007084220.tif 000013
【図１２】
2007084220.tif 000014
【図１３】
2007084220.tif 000015
【図１４】
2007084220.tif 000016
【図１５】
2007084220.tif 000017
【図１６】
2007084220.tif 000018
【図１７】
2007084220.tif 000019